(57)【要約】【課題】従来よりも落下強度を向上させることが可能なレンズ鏡筒を提供する。【解決手段】レンズ鏡筒１０は、光学系を内部に有するレンズ枠ユニット１０ａ、カムピン２０、カム枠１７、凹部１７ｂ、凸部１１ｃを備えている。カムピン２０は、レンズ枠ユニット１０ａの外周面に設けられている。カム枠１７は、カムピン２０に嵌合するカム溝１７ａを有し、カムピン２０がカム溝１７ａに嵌合した状態でレンズ枠ユニット１０ａが相対回転することで、レンズ枠ユニット１０ａを光軸Ｘ方向において前後に相対移動させる。凹部１７ｂは、カム枠１７においてカム溝１７ａの形状に沿うように形成されている。凸部１１ｃは、レンズ枠ユニット１０ａの外周面に設けられ、レンズ枠ユニット１０ａが回転してカム溝１７ａ内をカムピン２０が移動する際に、凹部１７ｂと当接した状態で移動する。【選択図】図６
2016166945.tif 000002
【特許請求の範囲】
【請求項１】
光学系を内部に有するレンズ枠ユニットと、
前記レンズ枠ユニットの外周面に設けられたカムピンと、
前記カムピンに嵌合するカム溝を有し、前記カムピンが前記カム溝に嵌合した状態で前記レンズ枠ユニットが相対回転することで前記レンズ枠ユニットを光軸方向において前後に相対移動させるカム枠と、
前記カム枠に形成されており、前記カム溝の形状に沿うように形成された凹部と、
前記レンズ枠ユニットの外周面に設けられており、前記レンズ枠ユニットが回転して前記カム溝内を前記カムピンが移動する際に、前記凹部と当接した状態で移動する凸部と、
を備えているレンズ鏡筒。
【請求項２】
前記凹部は、前記カム枠における光軸方向の被写体側の端部に形成されている、
請求項１に記載のレンズ鏡筒。
【請求項３】
前記凹部は、前記光軸方向に対して垂直な平面に沿って形成された第１直線部と、前記第１直線部と平行に形成され前記第１直線部に対して光軸方向においてずれた位置に形成された第２直線部と、前記第１・第２直線部の間に設けられており前記光軸方向に対して斜めに形成された傾斜部と、を有している、
請求項１または２に記載のレンズ鏡筒。
【請求項４】
前記凸部は、前記レンズ枠ユニットと一体成形されている、
請求項１から３のいずれか１項に記載のレンズ鏡筒。
【請求項５】
前記レンズ枠ユニットは、複数のレンズ枠を有しており、
前記凸部は、前記複数のレンズ枠に含まれる第１レンズ枠に設けられており、
前記カムピンは、前記複数のレンズ枠に含まれる第２レンズ枠に設けられている、
請求項１から４のいずれか１項に記載のレンズ鏡筒。
【請求項６】
前記カムピンと前記カム溝とは、それぞれ周方向において略等角度間隔で複数設けられている、
請求項１から５のいずれか１項に記載のレンズ鏡筒。
【請求項７】
前記凸部と前記凹部とは、それぞれ周方向において略等角度間隔で複数設けられている、
請求項１から６のいずれか１項に記載のレンズ鏡筒。
【請求項８】
前記凸部には、前記凸部を補強するために挿入されるビス用のビス穴、あるいは金属シャフトが挿入される穴が形成されている、
請求項１から７のいずれか１項に記載のレンズ鏡筒。
【発明の詳細な説明】
【技術分野】
【０００１】
本開示は、外周面にカムピンが設けられたレンズ枠と、レンズ枠の外周側に配置されカムピンが嵌合した状態で相対回転するカム枠とを備えたレンズ鏡筒に関する。
【背景技術】
【０００２】
レンズ鏡筒には、光軸方向に沿って複数のレンズ枠にそれぞれ取り付けられたレンズ群が含まれている。そして、光軸方向において各レンズ群の間の距離を変更することで、ズーム撮影やマクロ撮影等の各種撮影を行うことができる。
例えば、特許文献１には、レンズ鏡筒に対して外力が作用した場合でもズーム機能が損なわれないようにするために、移動カム環の外周面に設けられたつば部と、固定枠の端部に設けられた受け部とを当接可能としたレンズ鏡筒について開示されている。
【０００３】
これにより、外力が付与された場合でも、その外力を受け部において受けることで、移動カム環が固定筒のカム環から脱落することを防止して、ズーム機能が損なわれないようにすることができる。
【先行技術文献】
【特許文献】
【０００４】
【特許文献１】特開２００５−１８２０８９号公報
【発明の概要】
【発明が解決しようとする課題】
【０００５】
しかしながら、上記従来のレンズ鏡筒では、以下に示すような問題点を有している。
すなわち、上記公報に開示されたレンズ鏡筒では、Ｔｅｌｅ位置とＷｉｄｅ位置との間においてカムピンがカム溝内を移動した際に、つば部が受け部と当接可能な状態となっている。
しかし、カム溝には、レンズ枠を光軸方向において前後に移動させるために、光軸方向に対して斜めに形成された部分が含まれる。このため、カムピンがカム溝の斜め部分に沿って移動している際に外力が付与されると、つば部が受け部に当接していない状態であるため、受け部において外力を受けることができず、カムピンが破損してしまうおそれがある。
【０００６】
本開示の課題は、従来よりも落下強度を向上させることが可能なレンズ鏡筒を提供することにある。
【課題を解決するための手段】
【０００７】
本開示に係るレンズ鏡筒は、光学系を内部に有するレンズ枠ユニットと、カムピンと、カム枠と、凹部と、凸部と、を備えている。カムピンは、レンズ枠ユニットの外周面に設けられている。カム枠は、カムピンに嵌合するカム溝を有し、カムピンがカム溝に嵌合した状態でレンズ枠ユニットが相対回転することで、レンズ枠ユニットを光軸方向において前後に相対移動させる。凹部は、カム枠に形成されており、カム溝の形状に沿うように形成されている。凸部は、レンズ枠ユニットの外周面に設けられており、レンズ枠ユニットが回転してカム溝内をカムピンが移動する際に、凹部と当接した状態で移動する。
【発明の効果】
【０００８】
本開示に係るレンズ鏡筒によれば、従来よりも落下強度を向上させることができる。
【図面の簡単な説明】
【０００９】
【図１】本開示の一実施形態に係るレンズ鏡筒の構成を示す全体斜視図。
【図２】図１のレンズ鏡筒の部品構成を示す分解斜視図。
【図３】図１のレンズ鏡筒の内部構成を示す断面図。
【図４】（ａ）は、ノーマル撮影位置における各部品の位置関係を示す斜視図。（ｂ）は、その側面図。
【図５】（ａ）は、マクロ撮影位置における各部品の位置関係を示す斜視図。（ｂ）は、その側面図。
【図６】図１のレンズ鏡筒に含まれるカム枠を円筒状の内周側から見た展開図であって、カム溝におけるカムピンの位置、および凹部における凸部の位置を示す図。
【発明を実施するための形態】
【００１０】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、出願人は、当業者が本開示を十分に理解するために添付図面および以下の説明を提供するのであって、これらによって特許請求の範囲に記載の主題を限定することを意図するものではない。
【００１１】
（実施形態１）
本開示の一実施形態に係るレンズ鏡筒について、図１〜図６を用いて説明すれば以下の通りである。
＜レンズ鏡筒１０全体の構成＞
本実施形態に係るレンズ鏡筒１０は、図１に示すように、カメラ本体（図示せず）に対して着脱可能なレンズユニットである。そして、レンズ鏡筒１０は、図２に示すように、複数のレンズ枠が組み込まれたレンズ枠ユニット１０ａの外周側に、カム枠１７、さらにその外周側に固定枠１８が設けられている。
【００１２】
レンズ枠ユニット１０ａの外周面（後述する４群レンズ枠ユニット１４の外周面）には、略等角度（約１２０度）間隔で３つのカムピン２０が配置されている。
カムピン２０は、ビス２１によってレンズ枠ユニット１０ａの外周面に固定されている。そして、カムピン２０は、カム枠１７のカム溝１７ａに嵌合した状態で移動することで、カム枠１７に対してレンズ枠ユニット１０ａを光軸Ｘ方向において前後に移動させることができる。
【００１３】
レンズ鏡筒１０は、図３に示すように、光軸Ｘ方向に沿って１０枚のレンズＬ１〜Ｌ１０を含む光学系を保持する６つのレンズ枠（１群レンズ枠ユニット１１〜５群レンズ枠ユニット１５およびレンズ枠１６）と、カム枠１７と、固定枠１８と、絞りユニット１９と、を備えている。
１０枚のレンズＬ１〜Ｌ１０は、図３に示すように、光軸方向に沿って、被写体側からこの順に配置されており、カメラ本体に搭載された撮像素子（図示せず）に対して、被写体像を導く。
【００１４】
（１群レンズ枠ユニット１１）
１群レンズ枠ユニット（第１レンズ枠）１１は、図３に示すように、最も被写体側に配置された樹脂製の円筒状の部材であって、３枚のレンズＬ１〜Ｌ３を含んでいる。そして、１群レンズ枠ユニット１１は、本体部１１ａ、レンズ保持部１１ｂ、凸部１１ｃを有している。また、１群レンズ枠ユニット１１は、図示しないアクチュエータによって駆動されることで、光軸Ｘ方向においてレンズ枠１６と一体的に前後に移動する。
【００１５】
本体部１１ａは、樹脂製の円筒状の部材である。そして、円筒状の本体部１１ａの内周面には、光軸方向における被写体側の端部に、レンズ保持部１１ｂが設けられている。
レンズ保持部１１ｂは、１群レンズ枠ユニット１１に含まれる３つのレンズＬ１〜Ｌ３を保持する。
凸部１１ｃは、図２および図３に示すように、１群レンズ枠ユニット１１の光軸Ｘ方向におけるカメラ本体側の端部に、本体部１１ａの外周面から径方向外側に向かって突出するように形成されている。凸部１１ｃは、本体部１１ａが樹脂成形される際に、本体部１１ａと一体成形されている。
【００１６】
また、凸部１１ｃは、後述するノーマル−マクロ切替用リング３０を回転させた際に、カムピン２０のカム溝１７ａ内における移動に連動して、カム枠１７側に設けられた凹部１７ｂに当接した状態で移動する。
さらに、凸部１１ｃの中央部分には、図２および図３に示すように、ビス穴１１ｃａが設けられている。
【００１７】
ビス穴１１ｃａは、レンズ鏡筒１０に対して外力が付与された際に、カム枠１７側の凹部１７ｂと衝突した際の十分な強度を確保するために、補強用のビスが挿入される。
（２群レンズ枠ユニット１２）
２群レンズ枠ユニット（レンズ枠）１２は、図３に示すように、断面視において板状の部材であって、１群レンズ枠ユニット１１の本体部１１ａの内周面側に配置されている。そして、２群レンズ枠ユニット１２は、光軸Ｘ方向において、１群レンズ枠ユニット１１とレンズ枠１６を挟み込むように配置されている。また、２群レンズ枠ユニット１２は、図３に示すように、本体部１２ａ、レンズ保持部１２ｂ、レンズＬ５を有している。
【００１８】
本体部１２ａは、板状の部材であって、中央の開口部にレンズ保持部１２ｂが設けられている。
レンズ保持部１２ｂは、略円形の開口部であって、レンズＬ５を保持している。
レンズＬ５は、図３に示すように、被写体側に向かって凸形状を有し、光軸Ｘ方向における被写体側から見て、レンズ枠１６に含まれるレンズＬ４の下流側に配置されている。
【００１９】
（３群レンズ枠ユニット１３）
３群レンズ枠ユニット（レンズ枠）１３は、図３に示すように、円筒状の４群レンズ枠ユニット１４の本体部１４ａの内周側に配置されている。また、３群レンズ枠ユニット１３は、光軸Ｘ方向において、移動可能な状態で配置されている。そして、３群レンズ枠ユニット１３は、本体部１３ａ、レンズ保持部１３ｂ、レンズＬ６，Ｌ７を有している。
【００２０】
なお、３群レンズ枠ユニット１３は、図示しないアクチュエータによって駆動されることで、光軸Ｘ方向において前後に移動する。
本体部１３ａは、図３に示すように、板状の部材であって、光軸Ｘ方向における被写体側から見て、絞りユニット１９の下流側に配置されている。そして、本体部１３ａは、中央の開口部にレンズ保持部１３ｂが設けられている。
【００２１】
レンズ保持部１３ｂは、略円形の開口部であって、レンズＬ６，Ｌ７を保持している。
レンズＬ６は、カメラ本体（図示せず）側に向かって凸形状を有し、光軸Ｘ方向における被写体側から見て、絞りユニット１９の下流側に配置されている。
レンズＬ７は、レンズＬ６の凸形状に当接する凹形状を有し、レンズＬ６に当接した状態で、レンズ保持部１３ｂに固定されている。
【００２２】
（４群レンズ枠ユニット１４）
４群レンズ枠ユニット（第２レンズ枠）１４は、略円筒形状を有し、図３に示すように、光軸Ｘ方向における被写体側から見て、３群レンズ枠ユニット１３の下流側に配置されている。また、４群レンズ枠ユニット１４は、光軸Ｘ方向において、１群レンズ枠ユニット１１のカメラ本体側に連結されている。そして、４群レンズ枠ユニット１４は、本体部１４ａ、レンズ保持部１４ｂ、レンズＬ８，Ｌ９を有している。
【００２３】
本体部１４ａは、円筒状の部材である。そして、円筒状の本体部１４ａの内周側には、２つのレンズＬ８，Ｌ９を保持するレンズ保持部１４ｂが設けられている。
レンズ保持部１４ｂは、本体部１４ａの内周面から径方向内側に向かって形成されたつば部分の先端に設けられている。そして、レンズ保持部１４ｂは、光軸Ｘ方向における被写体側から見て、被写体寄りの位置において、２枚のレンズＬ８，Ｌ９をこの順に保持している。
【００２４】
レンズＬ８は、被写体側およびカメラ本体側の双方に凹んだ凹形状を有している。
レンズＬ９は、レンズＬ８の下流側に配置されており、レンズＬ８の凹形状に当接する凸形状を有している。
また、４群レンズ枠ユニット１４の本体部１４ａの外周面には、図２および図３に示すカムピン２０を固定するためのビス２１が挿入されるビス穴が形成されている。
【００２５】
ビス穴は、４群レンズ枠ユニット１４の外周面において、略等角度（約１２０度）間隔で３つ設けられている。
（５群レンズ枠ユニット１５）
５群レンズ枠ユニット（レンズ枠）１５は、図３に示すように、円筒状の４群レンズ枠ユニット１４の本体部１４ａの内周側に、光軸Ｘ方向において移動可能な状態で配置されている。そして、５群レンズ枠ユニット１５は、本体部１５ａ、レンズ保持部１５ｂ、レンズＬ１０を有している。
【００２６】
なお、５群レンズ枠ユニット１５は、図示しないアクチュエータによって駆動されることで、光軸Ｘ方向において前後に移動する。
本体部１５ａは、板状の部材であって、図３に示すように、光軸Ｘ方向における被写体側から見て、４群レンズ枠ユニット１４に含まれるレンズＬ９の下流側に配置されている。そして、本体部１５ａは、中央の開口部にレンズ保持部１５ｂが設けられている。
【００２７】
レンズ保持部１５ｂは、略円形の開口部であって、レンズＬ１０を保持している。
レンズＬ１０は、カメラ本体（図示せず）側に向かって凸形状を有し、光軸Ｘ方向における被写体側から見て、レンズＬ９の下流側に配置されている。つまり、レンズＬ１０は、レンズ鏡筒１０に含まれる光学系のうち、光軸Ｘ方向から見て、最も下流側（カメラ本体側）に配置されている。
【００２８】
（レンズ枠１６）
レンズ枠１６は、図３に示すように、１群レンズ枠ユニット１１の本体部１１ａの内周面側に設けられている。また、レンズ枠１６は、光軸Ｘ方向において、１群レンズ枠ユニット１１に含まれるレンズ群と２群レンズ枠ユニット１２との間に挟み込まれるように配置されている。また、レンズ枠１６は、図３に示すように、本体部１６ａ、レンズ保持部１６ｂ、レンズＬ４を有している。
【００２９】
本体部１６ａは、図３に示すように、断面視において略台形状を有する略円錐筒形状の部材であって、中央の開口部にレンズ保持部１６ｂが設けられている。
レンズ保持部１６ｂは、略円形の開口部であって、レンズＬ４を保持している。また、レンズ鏡筒１０が組み付けられた状態では、図３に示すように、レンズ保持部１６ｂが光軸Ｘ方向においてカメラ本体側になるように、１群レンズ枠ユニット１１に対して固定される。
【００３０】
レンズＬ４は、図３に示すように、被写体側に向かって凸形状を有している。レンズＬ４は、光軸Ｘ方向における被写体側から見て、１群レンズ枠ユニット１１に含まれるレンズＬ３の下流側に配置されている。
（カム枠１７）
カム枠１７は、図２に示すように、アルミ製の円筒状の部材であって、４群レンズ枠ユニット１４の外周面側に配置されている。そして、カム枠１７には、４群レンズ枠ユニット１４の外周面に設けられたカムピン２０が嵌合するカム溝１７ａが形成されている。
【００３１】
ここで、ノーマル−マクロ切替用リング３０（図４（ａ）等参照）が回転操作されると、ノーマル−マクロ切替用リング３０が固定されたカム枠１７の回転により、カムピン２０がカム溝１７ａに沿って相対移動する。
これにより、外周面にカムピン２０が固定されたレンズ枠ユニット１０ａを、光軸方向において前後に移動させることができる。よって、レンズ枠ユニット１０ａに含まれる各レンズＬ１〜Ｌ１０間の距離を調整して、ズーム撮影やマクロ撮影等を行うことができる。
【００３２】
カム溝１７ａは、図４（ａ）に示すように、アルミ製の円筒状の部材を加工して周方向に沿って形成されており、カム枠１７の外周面から内周面にかけて貫通している。そして、カム溝１７ａは、周方向において略等角度（約１２０度）間隔で３つ設けられている。３つのカム溝１７ａには、図４（ａ）に示すように、それぞれ４群レンズ枠ユニット１４の外周面にビス２１によって固定されたカムピン２０が嵌合している。
【００３３】
なお、図４（ａ）および図４（ｂ）に示すカム溝１７ａにおけるカムピン２０の位置は、ノーマル撮影を行う際の位置である。
このとき、ノーマル−マクロ切替用リング３０が、図４（ｂ）に示す矢印方向に回転操作されると、カム溝１７ａにカムピン２０が嵌合した状態で、カム枠１７がレンズ枠ユニット１０ａの回りを回転する。そして、図５（ａ）および図５（ｂ）に示すように、カム枠１７の回転に伴って、カムピン２０がカム溝１７ａの形状に沿って相対移動することで、レンズ枠ユニット１０ａを光軸Ｘ方向前方に移動させることができる。
【００３４】
なお、図５（ａ）および図５（ｂ）に示すカム溝１７ａにおけるカムピン２０の位置は、マクロ撮影を行う際の位置である。
また、カム溝１７ａは、相対回転するカムピン２０を誘導して、レンズ枠ユニット１０ａを光軸Ｘ方向において前後に移動させるための形状として、図６に示すように、第１直線部１７ａａ、第２直線部１７ａｂ、傾斜部１７ａｃを有している。
【００３５】
第１直線部１７ａａは、図６に示すように、カム枠１７における光軸Ｘ方向に対して垂直な平面に沿って延伸するように形成されている。そして、第１直線部１７ａａは、光軸Ｘ方向において、カメラ本体側寄りに配置されている。
また、第１直線部１７ａａにおける傾斜部１７ａｃとの連結側とは反対側の端部には、カムピン２０のノーマル撮影位置Ｐ１が設けられる。
【００３６】
第２直線部１７ａｂは、第１直線部１７ａａと同様に、図６に示すように、カム枠１７における光軸Ｘ方向に対して垂直な平面に沿って延伸するように形成されている。そして、第２直線部１７ａｂは、光軸Ｘ方向において、被写体側寄りに配置されている。つまり、第２直線部１７ａｂは、第１直線部１７ａａと平行であって、光軸Ｘ方向および周方向においてずれた位置に配置されている。
【００３７】
また、第２直線部１７ａｂにおけるほぼ中央部には、カムピン２０のマクロ撮影位置Ｐ２が設けられる。
傾斜部１７ａｃは、図６に示すように、光軸Ｘ方向に対して斜めに形成されており、第１直線部１７ａａと第２直線部１７ａｂとの間に設けられている。そして、傾斜部１７ａｃの両端は、それぞれ第１直線部１７ａａ、第２直線部１７ａｂに連結されている。
【００３８】
また、傾斜部１７ａｃは、第１直線部１７ａａに設けられたノーマル撮影位置Ｐ１と第２直線部１７ａｂに設けられたマクロ撮影位置Ｐ２との間において、カムピン２０を誘導する。つまり、カムピン２０が傾斜部１７ａｃを介して周方向に移動することで、レンズ枠ユニット１０ａが光軸Ｘ方向において前後に相対移動する。これにより、ノーマル撮影モードとマクロ撮影モードとを切り替えることができる。
【００３９】
凹部１７ｂは、図４（ａ）〜図５（ｂ）に示すように、円筒状のカム枠１７の光軸Ｘ方向における被写体側の端部に形成された切欠き部分であって、カム溝１７ａと同様に、周方向に略等角度（約１２０度）間隔で３つ設けられている。
また、凹部１７ｂは、図６に示すように、カム溝１７ａ内におけるカムピン２０の移動に連動して、上述した１群レンズ枠ユニット１１に設けられた凸部１１ｃが当接した状態で移動する。よって、凹部１７ｂは、カム溝１７ａ内においてカムピン２０が移動する軌跡Ｔ１と、凹部１７ｂに当接しながら移動する凸部１１ｃの軌跡Ｔ２とが一致するように形成されている。
【００４０】
凹部１７ｂは、図６に示すように、第１直線部１７ｂａ、第２直線部１７ｂｂ、傾斜部１７ｂｃを有している。
第１直線部１７ｂａは、図６に示すように、カム枠１７における光軸Ｘ方向に対して垂直な平面に沿って延伸するように形成されている。そして、第１直線部１７ｂａは、カム溝１７ａの端部が切り欠かれた部分の底部（光軸Ｘ方向におけるカメラ本体側寄りの位置）に配置されている。さらに、第１直線部１７ｂａは、上述したカム溝１７ａの第１直線部１７ａａと平行に配置されている。
【００４１】
また、第１直線部１７ｂａにおける傾斜部１７ｂｃとの連結側とは反対側の端部には、凸部１１ｃのノーマル撮影位置Ｐ３が設けられる。
第２直線部１７ｂｂは、第１直線部１７ｂａと同様に、図６に示すように、カム枠１７における光軸Ｘ方向に対して垂直な平面に沿って延伸するように形成されている。そして、第２直線部１７ｂｂは、カム溝１７ａの端部（光軸Ｘ方向における被写体側の端部）に配置されている。つまり、第２直線部１７ｂｂは、第１直線部１７ｂａと平行であって、光軸Ｘ方向および周方向においてずれた位置に配置されている。さらに、第２直線部１７ｂｂは、上述したカム溝１７ａの第１直線部１７ａｂと平行に配置されている。
【００４２】
また、第２直線部１７ｂｂには、凸部１１ｃのマクロ撮影位置Ｐ４が設けられる。
傾斜部１７ｂｃは、図６に示すように、光軸Ｘ方向に対して斜めに形成されており、第１直線部１７ｂａと第２直線部１７ｂｂとの間に設けられている。そして、傾斜部１７ｂｃの両端は、それぞれ第１直線部１７ｂａ、第２直線部１７ｂｂに連結されている。
また、傾斜部１７ｂｃは、第１直線部１７ｂａに設けられたノーマル撮影位置Ｐ３と第２直線部１７ｂｂに設けられたマクロ撮影位置Ｐ４との間において、凸部１１ｃを誘導する。
【００４３】
なお、カムピン２０がカム溝１７ａにおけるノーマル撮影位置Ｐ１に移動すると、凸部１１ｃも凹部１７ｂにおけるノーマル撮影位置Ｐ３に移動する。同様に、カムピン２０がカム溝１７ａにおけるマクロ撮影位置Ｐ２に移動すると、凸部１１ｃも凹部１７ｂにおけるマクロ撮影位置Ｐ４に移動する。
（固定枠１８）
固定枠１８は、図２および図３に示すように、円筒状の１群レンズ枠ユニット１１および４群レンズ枠ユニット１４の外周側に配置された円筒状の部材であって、１群レンズ枠ユニット１１から４群レンズ枠ユニット１４の外周面を覆うように配置されている。
【００４４】
そして、固定枠１８は、内周面側において、カム枠１７を回転可能な状態で保持している。
（絞りユニット１９）
絞りユニット１９は、図３に示すように、１群レンズ枠ユニット１１と４群レンズ枠ユニット１４の間に配置されており、図示しないステッピングモータ等の駆動源によって駆動される複数の絞り羽根を有している。そして、絞りユニット１９は、複数の絞り羽根を開閉して、開口の面積を変化させることで、レンズ鏡筒１０の光学系（レンズＬ１〜Ｌ１０）の絞り値を変更することができる。
【００４５】
＜レンズ鏡筒１０の耐落下性能＞
本実施形態のレンズ鏡筒１０では、上述したように、ノーマル撮影モードからマクロ撮影モードへ切り替えられる際には、ノーマル−マクロ切替用リング３０が、図４（ｂ）に示す矢印方向に回転操作され、ノーマル−マクロ切替用リング３０と一体化したカム枠１７も同方向に回転する。
【００４６】
これにより、レンズ枠ユニット１０ａ（４群レンズ枠ユニット１４）の外周面に固定されたカムピン２０は、カム枠１７のカム溝１７ａに沿って、図６に示すノーマル撮影位置Ｐ１からマクロ撮影位置Ｐ２へと移動する。
このとき、カム溝１７ａ内におけるカムピン２０の移動に連動して、凸部１１ｃが凹部１７ｂに沿ってノーマル撮影位置Ｐ３からマクロ撮影位置Ｐ４へと移動する。
【００４７】
すなわち、上述したように、ノーマル−マクロ切替用リング３０が、図４（ｂ）に示す矢印方向に回転操作されると、ノーマル−マクロ切替用リング３０と一体化したカム枠１７も同方向に回転する。
ここで、カム枠１７がレンズ枠ユニット１０ａに対して相対回転すると、カムピン２０はレンズ枠ユニット１０ａ（４群レンズ枠ユニット１４）の外周面に固定されているため、カム枠１７の形状に合わせてレンズ枠ユニット１０ａが光軸Ｘ方向において前方へ移動する。
【００４８】
同時に、レンズ枠ユニット１０ａ（１群レンズ枠ユニット１１）の外周面に設けられた凸部１１ｃは、カム枠１７に対するレンズ枠ユニット１０ａの相対回転・相対移動に連動して、凹部１７ｂに当接した状態で移動する。
すなわち、凸部１１ｃとカムピン２０とは、レンズ枠ユニット１０ａにおいて一体化している。このため、レンズ枠ユニット１０ａとカム枠１７とが相対回転・相対移動すると、凸部１１ｃは、カム枠１７に対してカムピン２０と同じ動きをする。
【００４９】
これにより、ノーマル撮影モードからマクロ撮影モードへ切り替えられると、カム枠１７におけるカムピン２０の軌跡Ｔ１と、凸部１１ｃの軌跡Ｔ２とは、その向きと長さとが一致する。
このとき、カム枠１７には、凸部１１ｃの軌跡Ｔ２に沿って、凹部１７ｂが設けられている。つまり、凹部１７ｂの形状は、カム枠１７におけるカムピン２０の軌跡Ｔ１と一致する凸部１１ｃの軌跡Ｔ２に合わせて加工されている。
【００５０】
なお、マクロ撮影モードからノーマル撮影モードへ切り替えられる場合には、カムピン２０および凸部１１ｃは、上記とは逆の動きで、軌跡Ｔ１，Ｔ２に沿って、カム溝１７ａおよび凹部１７ｂにおいて移動する。
本実施形態のレンズ鏡筒１０では、図６に示すように、カム枠１７のカム溝１７ａに沿って移動するカムピン２０の動きに連動して、レンズ枠ユニット１０ａの外周面に形成された凸部１１ｃが移動する。
【００５１】
このとき、凸部１１ｃは、ノーマル撮影位置Ｐ３からマクロ撮影位置Ｐ４へと移動する際に、凹部１７ｂ（第１直線部１７ｂａ、傾斜部１７ｂｃ、第２直線部１７ｂｂ）に当接した状態で移動する。
これにより、レンズ鏡筒１０に対して外力が付与された場合でも、カムピン２０ではなく、凸部１１ｃと凹部１７ｂとの当接位置において、その外力を受けることができる。
【００５２】
よって、例えば、レンズ鏡筒１０を落下させてしまった場合でも、レンズ鏡筒１０に含まれる部品（例えば、カムピン２０）が破損してしまうことを防止することができる。
特に、本実施形態のレンズ鏡筒１０では、カムピン２０がカム枠１７ａ内におけるどの位置にあっても、常時、凸部１１ｃが凹部１８ｂに対して当接した状態になる。
よって、カムピン２０が、カム溝１７ａ内におけるノーマル撮影位置Ｐ１、マクロ撮影位置Ｐ２および撮影位置Ｐ１〜Ｐ２間のいずれの位置にある場合でも、凸部１１ｃと凹部１７ｂとの当接位置において、付与された外力を受けることができる。
【００５３】
よって、レンズ枠ユニット１０ａに対するカム枠１７の相対位置に関わらず、常に、落下衝撃等の外力に対して高い耐衝撃性を確保することができる。
［他の実施形態］
以上、本開示の一実施形態について説明したが、本開示は上記実施形態に限定されるものではなく、開示の要旨を逸脱しない範囲で種々の変更が可能である。
【００５４】
（Ａ）
上記実施形態では、カム枠１７に形成された凹部１７ｂが、光軸Ｘ方向における被写体側の端部に配置された例を挙げて説明した。しかし、本開示はこれに限定されるものではない。
例えば、カム枠の端部ではなく、外周面に沿って配置された凹部を用いてもよい。
【００５５】
この場合でも、上記と同様の効果を得ることができる。
（Ｂ）
上記実施形態では、カム枠１７の被写体側の端部に形成された凹部１７ｂに対して当接する凸部１１ｃが、４群レンズ枠ユニット１４の外周面に形成されている例を挙げて説明した。しかし、本開示はこれに限定されるものではない。
【００５６】
例えば、レンズ鏡筒の構成に応じて、他の群のレンズを保持するレンズ枠の外周面に、凸部が設けられていてもよい。
（Ｃ）
上記実施形態では、凸部１１ｃとカムピン２０とがそれぞれ異なるレンズ枠（１群レンズ枠ユニット１１、４群レンズ枠ユニット１４）に設けられた例を挙げて説明した。しかし、本発明はこれに限定されるものではない。
【００５７】
例えば、凸部とカムピンとが同じレンズ枠の外周面に設けられていてもよい。
（Ｄ）
上記実施形態では、１群レンズ枠ユニット１１の外周面に形成された凸部１１ｃに対して、径方向外側から挿入される補強ビス用のビス穴１１ｃａが形成された例を挙げて説明した。しかし、本開示はこれに限定されるものではない。
【００５８】
例えば、レンズ鏡筒に付与される外力に対して凸部の強度が十分確保されている場合には、ビス穴１１ｃａが設けられていなくてもよい。
また、凸部の補強用に挿入される部材としては、ビスに限らず、金属製のシャフトであってもよい。この場合には、凸部に、ビス穴ではなく、シャフト挿入用の穴が形成されていればよい。
【００５９】
（Ｅ）
上記実施形態では、カムピン２０とカム溝１７ａとが、周方向において略等角度間隔で３箇所ずつ設けられている例を挙げて説明した。しかし、本開示はこれに限定されるものではない。
例えば、カムピンとカム溝とが、周方向において、２箇所、あるいは４箇所以上設けられていてもよい。
【００６０】
また、カムピンとカム溝とは、周方向において略等角度間隔で設けられていればよく、正確に等角度間隔で設けられていなくてもよい。
（Ｆ）
上記実施形態では、カムピン２０とカム溝１７ａの数に合わせて、凸部１１ｃと凹部１７ｂとが周方向において等角度間隔で３箇所ずつ設けられている例を挙げて説明した。しかし、本開示はこれに限定されるものではない。
【００６１】
例えば、凸部と凹部とが、周方向において、２箇所、あるいは４箇所以上設けられていてもよい。
また、凸部と凹部とは、周方向において略等角度間隔で設けられていればよく、正確に等角度間隔で設けられていなくてもよい。
さらに、凸部と凹部とは、カムピンとカム溝の組数に合わせて、同じ組数だけ設けられていなくてもよい。
【００６２】
（Ｇ）
上記実施形態では、カム溝１７ａと凹部１７ｂとがそれぞれ２つの直線部１７ａａ，１７ａｂ，１７ｂａ，１７ｂｂを含むように形成された例を挙げて説明した。しかし、本開示はこれに限定されるものではない。
例えば、カム溝と凹部の形状としては、これに限定されることなく、直線部と傾斜部とが異なる組合せによって構成されていてもよい。
【産業上の利用可能性】
【００６３】
本開示のレンズ鏡筒は、従来よりも落下強度を向上させることができるという効果を奏することから、各種レンズ鏡筒に対して広く適用可能である。
【符号の説明】
【００６４】
１０      レンズ鏡筒
１０ａ    レンズ枠ユニット
１１      １群レンズ枠ユニット（第１レンズ枠）
１１ａ    本体部
１１ｂ    レンズ保持部
１１ｃ    凸部
１１ｃａ  ビス穴
１２      ２群レンズ枠ユニット（レンズ枠）
１２ａ    本体部
１２ｂ    レンズ保持部
１３      ３群レンズ枠ユニット（レンズ枠）
１３ａ    本体部
１３ｂ    レンズ保持部
１４      ４群レンズ枠ユニット（第２レンズ枠）
１４ａ    本体部
１４ｂ    レンズ保持部
１５      ５群レンズ枠ユニット（レンズ枠）
１５ａ    本体部
１５ｂ    レンズ保持部
１６      レンズ枠
１６ａ    本体部
１６ｂ    レンズ保持部
１７      カム枠
１７ａ    カム溝
１７ａａ  第１直線部
１７ａｂ  第２直線部
１７ａｃ  傾斜部
１７ｂ    凹部
１７ｂａ  第１直線部
１７ｂｂ  第２直線部
１７ｂｃ  傾斜部
１８      固定枠
１９      絞りユニット
２０      カムピン
２１      ネジ
３０      ノーマル−マクロ切替用リング
Ｌ１〜Ｌ１０      レンズ（光学系）
Ｐ１，Ｐ３  ノーマル撮影位置
Ｐ２，Ｐ４  マクロ撮影位置
Ｔ１，Ｔ２  軌跡
Ｘ      光軸
【図１】
2016166945.tif 000003
【図２】
2016166945.tif 000004
【図３】
2016166945.tif 000005
【図４】
2016166945.tif 000006
【図５】
2016166945.tif 000007
【図６】
2016166945.tif 000008